(57)【要約】      （修正有）【課題】ＰＵＣＣＨにおけるＡＣＫ／ＮＡＫのバンドル化をサポートするために、より高度な制御チャネルの設計解を提供する。【解決手段】ユーザ装置の受信帯域幅内のコンポーネントキャリアにわたって周波数領域肯定応答／否定応答（ＡＣＫ／ＮＡＫ）バンドル化を実行するステップ１３０１と、実行したＡＣＫ／ＮＡＫのバンドル化に基づいて、少なくとも１つの符号語に対応するバンドル化したＡＣＫ／ＮＡＫ値を生成するステップ１３０２と、生成されたバンドル化したＡＣＫ／ＮＡＫ値及びユーザ装置の受信帯域幅内の検出されたダウンリンクグラントの数に関する情報を、アップリンク制御チャネルで送信されるＡＣＫ／ＮＡＫリソースに含めるステップ１３０３とを含む。【選択図】図１３
2014140176.tif 000002
【特許請求の範囲】
【請求項１】
ユーザ装置の受信帯域幅内のコンポーネントキャリアにわたって周波数領域肯定応答／否定応答（ＡＣＫ／ＮＡＫ）バンドル化を実行するように構成されたプロセッサと、
前記実行したＡＣＫ／ＮＡＫのバンドル化に基づいて、少なくとも１つの符号語に対応するバンドル化したＡＣＫ／ＮＡＫ値を生成するように構成された生成装置と、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含めるように構成されたプロセッサと、
を備えることを特徴とする装置。
【請求項２】
少なくとも２つの空間符号語に対応する２つのＡＣＫ／ＮＡＫビットにわたって空間領域バンドル化を実行するように構成されたプロセッサをさらに備える、
ことを特徴とする請求項１に記載の装置。
【請求項３】
アップリンク／ダウンリンクグラントにおいてＤＡＩビットを利用できない、
ことを特徴とする請求項１に記載の装置。
【請求項４】
前記プロセッサが、Ｎ2状態を表すＮビットを使用することにより、物理アップリンク共有チャネルでＡＣＫ／ＮＡＫのバンドル化を実行するように構成される、
ことを特徴とする請求項１に記載の装置。
【請求項５】
前記プロセッサが、前記生成されたバンドル化したＡＣＫ／ＮＡＫ値及び検出されたダウンリンクグラントの数に基づいて、直交状態の組から利用可能な状態を選択するように構成され、前記利用可能な直交状態が、変調の配置により利用可能な状態、送信がないことにより利用可能な状態、マルチリソースを占有することにより利用可能な状態のうちの１又はそれ以上を含み、アップリンク制御チャネルで送信される前記情報が、直交状態の選択により伝達される、
ことを特徴とする請求項１に記載の装置。
【請求項６】
１つ又は２つの情報ビットをＱＰＳＫ変調記号にマップすべく所定のマッピングを実行し、配置マップ内に、ダウンリンクグラントの奇数全体にわたるバンドル化したＡＣＫに対応する（単複の）状態と、ダウンリンクグラントの偶数全体にわたるバンドル化したＡＣＫに対応する（単複の）状態との間の最大ユークリッド距離を有することを保証するように構成されたプロセッサをさらに備える、
ことを特徴とする請求項５に記載の装置。
【請求項７】
アップリンク制御チャネルで送信される前記情報が１又はそれ以上の情報ビットを含み、前記ＡＣＫ／ＮＡＫリソースが、所定のダウンリンクグラントに基づいて選択されたＡＣＫ／ＮＡＫチャネルの一方である、
ことを特徴とする請求項１に記載の装置。
【請求項８】
前記ユーザ装置の受信帯域幅内の少なくとも１つのダウンリンクグラントが、１よりも多くの制御チャネル要素及び１よりも多くのＡＣＫ／ＮＡＫチャネルを含む、
ことを特徴とする請求項１に記載の装置。
【請求項９】
請求項１に記載の機能を実行するように構成された、
ことを特徴とするユーザ装置。
【請求項１０】
アップリンク制御チャネルにおける肯定応答／否定応答（ＡＣＫ／ＮＡＫ）リソースに含まれる生成されたバンドル化したＡＣＫ／ＮＡＫ値及びユーザ装置の受信帯域幅内の検出されたダウンリンクグラントの数に関する情報を受信するように構成されたインターフェイスと、
前記受信した情報に基づいてＡＣＫ／ＮＡＫ／ＤＴＸ（断続的送信）検出を実行し、該ＡＣＫ／ＮＡＫ／ＤＴＸ検出に基づいて、前記検出したＡＣＫ／ＮＡＫ状態が正しいＡＣＫ／ＮＡＫを表すかどうかを判定するように構成されたプロセッサと、
を備えることを特徴とする装置。
【請求項１１】
前記プロセッサが、前記検出したＡＣＫ／ＮＡＫ／ＤＴＸに基づいてスケジューリング決定を行うようにさらに構成される、
ことを特徴とする請求項１０に記載の装置。
【請求項１２】
前記プロセッサが、前記ＡＣＫ／ＮＡＫ／ＤＴＸ検出の結果に基づいて１又はそれ以上のコンポーネントキャリアにリソースを割り当てるようにさらに構成される、
ことを特徴とする請求項１０に記載の装置。
【請求項１３】
ユーザ装置の受信帯域幅内のコンポーネントキャリアにわたって周波数領域肯定応答／否定応答（ＡＣＫ／ＮＡＫ）バンドル化を実行するステップと、
前記実行したＡＣＫ／ＮＡＫのバンドル化に基づいて、少なくとも１つの符号語に対応するバンドル化したＡＣＫ／ＮＡＫ値を生成するステップと、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含めるステップと、
を含むことを特徴とする方法。
【請求項１４】
少なくとも２つの空間符号語に対応する２つのＡＣＫ／ＮＡＫビットにわたって空間領域バンドル化を実行するステップをさらに含む、
ことを特徴とする請求項１３に記載の方法。
【請求項１５】
前記生成されたバンドル化したＡＣＫ／ＮＡＫ値及び検出されたダウンリンクグラントの数に基づいて、直交状態の組から利用可能な状態を選択するステップをさらに含み、前記利用可能な直交状態が、変調の配置により利用可能な状態、送信がないことにより利用可能な状態、マルチリソースを占有することにより利用可能な状態のうちの１又はそれ以上を含み、アップリンク制御チャネルで送信される前記情報が、直交状態の選択により伝達される、
ことを特徴とする請求項１３に記載の方法。
【請求項１６】
各々が２つの空間符号語及び１又はそれ以上のダウンリンクグラントにわたってＡＣＫ又はＮＡＫとして定められる少なくとも４つの状態に前記２つの情報ビットをマップすべく所定のマッピングを実行するステップをさらに含む、
ことを特徴とする請求項１５に記載の方法。
【請求項１７】
前記バンドル化したＡＣＫ／ＮＡＣＫ値がＮＡＫである場合、ＮＡＫ及びＤＴＸに同じ状態を共有させるステップをさらに含む、
ことを特徴とする請求項１５に記載の方法。
【請求項１８】
１つ又は２つの情報ビットをＱＰＳＫ変調記号にマップして、配置マップ内に、ダウンリンクグラントの奇数全体にわたるバンドル化したＡＣＫに対応する（単複の）状態と、ダウンリンクグラントの偶数全体にわたるバンドル化したＡＣＫに対応する（単複の）状態との間の最大ユークリッド距離を有することを保証すべく所定のマッピングを実行するステップをさらに含む、
をさらに含むことを特徴とする請求項１５に記載の方法。
【請求項１９】
アップリンク制御チャネルにおける肯定応答／否定応答（ＡＣＫ／ＮＡＫ）リソースに含まれる生成されたバンドル化したＡＣＫ／ＮＡＫ値及びユーザ装置の受信帯域幅内の検出されたダウンリンクグラントの数に関する情報を受信するステップと、
前記受信した情報に基づいて、ＡＣＫ／ＮＡＫ／ＤＴＸ（断続的送信）検出を実行するステップと、
前記ＡＣＫ／ＮＡＫ／ＤＴＸ検出に基づいて、前記検出したＡＣＫ／ＮＡＫ状態が正しいＡＣＫ／ＮＡＫを表すかどうかを判定するステップと、
を含むことを特徴とする方法。
【請求項２０】
前記ＡＣＫ／ＮＡＫ／ＤＴＸ検出の結果に基づいて、１又はそれ以上のコンポーネントキャリアにリソースを割り当てるステップをさらに含む、
ことを特徴とする請求項１９に記載の方法。
【請求項２１】
コンピュータ可読媒体を含み、メモリに動作可能に結合されたコンピュータにより実行可能なプログラム命令を具体化する製造の物品であって、前記プログラム命令が、前記コンピュータにより実行された場合、
ユーザ装置の受信帯域幅内のコンポーネントキャリアにわたって周波数領域肯定応答／否定応答（ＡＣＫ／ＮＡＫ）バンドル化を実行する機能と、
前記実行したＡＣＫ／ＮＡＫのバンドル化に基づいて、少なくとも１つの符号語に対応するバンドル化したＡＣＫ／ＮＡＫ値を生成する機能と、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含める機能と、
を実行する、
ことを特徴とする製造の物品。
【請求項２２】
前記コンピュータ可読媒体が、コンピュータ可読媒体、プログラム記憶媒体、記録媒体、コンピュータ可読メモリ、コンピュータ可読ソフトウェア配布パッケージ、コンピュータ可読信号、コンピュータ可読電気通信信号、及びコンピュータ可読圧縮ソフトウェアパッケージのうちの少なくとも１つを含む、
ことを特徴とする請求項２１に記載の製造の物品。
【請求項２３】
前記生成されたバンドル化したＡＣＫ／ＮＡＫ値及び検出されたダウンリンクグラントの数に基づいて、直交状態の組から利用可能な状態を選択する機能をさらに実行し、前記利用可能な直交状態が、変調の配置により利用可能な状態、送信がないことにより利用可能な状態、マルチリソースを占有することにより利用可能な状態のうちの１又はそれ以上を含み、アップリンク制御チャネルで送信される前記情報が、直交状態の選択により伝達される、
ことを特徴とする請求項２１に記載の製造の物品。
【請求項２４】
ユーザ装置の受信帯域幅内のコンポーネントキャリアにわたって周波数領域肯定応答／否定応答（ＡＣＫ／ＮＡＫ）バンドル化を実行するための処理手段と、
前記実行したＡＣＫ／ＮＡＫのバンドル化に基づいて、少なくとも１つの符号語に対応するバンドル化したＡＣＫ／ＮＡＫ値を生成するための生成手段と、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含めるための処理手段と、
を備えることを特徴とする装置。
【請求項２５】
アップリンク制御チャネルにおける肯定応答／否定応答（ＡＣＫ／ＮＡＫ）リソースに含まれる生成されたバンドル化したＡＣＫ／ＮＡＫ値及びユーザ装置の受信帯域幅内の検出されたダウンリンクグラントの数に関する情報を受信するための受信手段と、
前記受信した情報に基づいて、ＡＣＫ／ＮＡＫ／ＤＴＸ（断続的送信）検出を実行するための処理手段と、
前記ＡＣＫ／ＮＡＫ／ＤＴＸ検出に基づいて、前記検出したＡＣＫ／ＮＡＫ状態が正しいＡＣＫ／ＮＡＫを表すかどうかを判定するための処理手段と、
を備えることを特徴とする装置。
【発明の詳細な説明】
【技術分野】
【０００１】
本発明は、移動体通信ネットワークの制御チャネル設計に関する。より詳細には、本発明は、方法、装置、及びコンピュータ可読媒体を含む製造の物品に関する。
【背景技術】
【０００２】
高度無線システムの継続的進化においては、キャリアアグリゲーションが、例えばロングタームエボリューションアドバンスド（ＬＴＥ−Ａ）の１つの実現における後方互換性要件を満たすための１つの可能性と考えられてきた。ＬＴＥ−Ａは、ＬＴＥの次のステップであり、国際電気通信連合（ＩＴＵ）が規定する第４世代（４Ｇ）通信ネットワークの要件を満たしている。ＬＴＥはまた、ユニバーサル・モバイル・テレコミュニケーションズ・システム（ＵＭＴＳ）の次のステップでもある。
【０００３】
後方互換性に関する主な要件のいくつかとして、例えば、リリース８Ｅ−ＵＴＲＡ（拡張ＵＭＴＳ地上無線アクセス）端末は、Ａｄｖａｎｃｅｄ  Ｅ−ＵＴＲＡＮ（拡張ＵＭＴＳ地上無線アクセスネットワーク）で機能できなければならず、Ａｄｖａｎｃｅｄ  Ｅ−ＵＴＲＡ端末は、リリース８Ｅ−ＵＴＲＡＮで機能できなければならない。
【０００４】
ＬＴＥ−Ａは、肯定応答（ＡＣＫ）／否定応答（ＮＡＫ）、チャネル品質インジケータ（ＣＱＩ）及びスケジューリング要求（ＳＲ）インジケータなどの制御信号をユーザ装置（ＵＥ）から進化型ノードＢ（ｅＮＢ）へ送信するために物理アップリンク制御チャネル（ＰＵＣＣＨ）を適用する。ＬＴＥ−Ａにおいてアップリンク制御信号を送信する別の方法には、アップリンクデータで時分割した（１）ＰＵＣＣＨ及び（２）ＰＵＳＣＨ（物理アップリンク共有チャネル）の２つがある。本出願は、主にＰＵＣＣＨにおけるアップリンク制御信号をテーマにする。アップリンク／ダウンリンク制御シグナリングの観点からすれば、１つの解決策は、既存のリリース８制御プレーン（ＰＤＣＣＨ、ＰＵＣＣＨなど）を個々のコンポーネントキャリア（ＣＣ）にコピーすることである。これ以降、この概念をＬＴＥ−ＡｄｖａｎｃｅｄにおけるＮｘＰＤＣＣＨ構造として示す。後方互換性要件に起因して、リリース８型のＰＵＣＣＨリソースを、ＰＤＣＣＨを送信するダウンリンクコンポーネントキャリアごとに確保することも想定される。これらのリソースは、対応するアップリンクコンポーネントキャリアに存在する。
【発明の概要】
【発明が解決しようとする課題】
【０００５】
ＬＴＥ−Ａｄｖａｎｃｅｄの１つの基本前提は、１つのコンポーネントキャリアにつき１つのトランスポートブロック及びＨＡＲＱ（ハイブリッド自動再送要求）エンティティをサポートすることであった。一般的には、１つのコンポーネントキャリアにつき１つの分離したＰＤＣＣＨを有すること（ＮｘＰＤＣＣＨ）が、このようなシステムオペレーションに適したダウンリンク制御シグナリング方式のように思えると理解されている。アップリンク制御シグナリングの観点からすれば、ＮｘＰＤＣＣＨ方式を使用した場合、特別な注意を要するいくつかの側面が存在する。１つの側面は、キュービックメトリック（ＣＭ）特性である。アップリンク／ダウンリンクリソースを異なるコンポーネントキャリアに割り当てた場合、アップリンクにおいて常にマルチキャリア送信が実現される。アップリンクの観点からすれば、ＣＭを最小化できる場合には常にシングルキャリア送信を目標とすべきであり、すなわち平行するＰＵＣＣＨ（ＮｘＰＵＣＣＨ）の同時送信を避けるべきである。別の側面は、アップリンクにおける制御チャネルの範囲である。１よりも多くのダウンリンクコンポーネントキャリアを割り当てた場合、常にマルチＡＣＫ／ＮＡＫ送信（ＡＣＫ／ＮＡＫ多重化）が実現される。アップリンク範囲は、マルチビットＡＣＫ／ＮＡＫに関連する課題である。したがって、ＡＣＫ／ＮＡＫのバンドル化、すなわち全てのダウンリンクトランスポートブロック及び割り当てられるコンポーネントキャリアに１つの共通のＡＣＫ／ＮＡＫが存在することは、常に、最適化されたアップリンク範囲を保証するための１つの選択肢でなければならない。したがって、ＰＵＣＣＨにおけるＡＣＫ／ＮＡＫのバンドル化をサポートするために、より高度な制御チャネルの設計解が必要とされている。
【課題を解決するための手段】
【０００６】
以下では、本発明のいくつかの態様の基本的な理解をもたらすために、本発明の単純化した要約を示す。この要約は、本発明の広範な概要ではない。本発明の主要／重要な要素を特定すること、又は本発明の範囲を示すことは意図していない。後述する詳細な説明の前置きとして本発明のいくつかの概念を単純化した形で示すことのみを目的とする。
【０００７】
本発明の様々な態様は、独立請求項に定める方法、装置、及びコンピュータ可読媒体を含む製造の物品を含む。本発明のさらなる実施形態については従属請求項に開示する。
【０００８】
本発明のある態様によれば、請求項１、１０、２４、及び２５で特定する装置が提供される。
【０００９】
本発明のある態様によれば、請求項１３及び１９で特定する方法が提供される。
【００１０】
本発明のある態様によれば、請求項２１で特定する、コンピュータ可読媒体を含む製造の物品が提供される。
【００１１】
本発明の様々な態様、実施形態及び特徴を個別に列挙しているが、これらの本発明の様々な態様、実施形態及び特徴の全ての組み合わせが可能であり、これらは特許請求する本発明の範囲に含まれる。
【００１２】
以下、例示的な実施形態により、及び添付図面を参照しながら本発明についてより詳細に説明する。
【図面の簡単な説明】
【００１３】
【図１】例示的なシステムアーキテクチャを示す簡略ブロック図である。
【図２】本発明の例示的な実施形態の実施において使用するのに適した装置の例を示す簡略ブロック図である。
【図３】本発明の実施形態による方法を示す例図である。
【図４】図３に関する方法の実施構成を示す例図である。
【図５】図３に関する方法の別の実施構成を示す例図である。
【図６】図３に関する方法の別の実施構成を示す例図である。
【図７】図３に関する方法の別の実施構成を示す例図である。
【図８】本発明の実施形態による方法を示す例図である。
【図９】図８に関する方法の実施構成を示す例図である。
【図１０】図８に関する方法の別の実施構成を示す例図である。
【図１１】図８に関する方法の別の実施構成を示す例図である。
【図１２】図８に関する方法の別の実施構成を示す例図である。
【図１３】本発明の実施形態による方法の例を示す図である。
【発明を実施するための形態】
【００１４】
以下、本発明の全てではなくいくつかを示す添付図面を参照しながら本発明の例示的な実施形態についてより詳細に説明する。実際には、本発明は多くの異なる形で具体化することができ、本明細書に示す実施形態に限定されると解釈すべきではなく、むしろこれらの実施形態は、この開示により適用可能な法的要件が満たされるように提供するものである。本明細書では、いくつかの箇所で「ある（ａｎ）」、「１つの（ｏｎｅ）」、又は「いくつかの（ｓｏｍｅ）」実施形態について言及するが、これは必ずしも、個々のこのような言及が同じ実施形態に対するものであること、或いはその特徴が単一の実施形態にのみ適用されることを意味するものではない。異なる実施形態の単一の特徴を組み合わせて他の実施形態を実現することもできる。全体を通じて、同じ参照数字は同じ要素を示す。
【００１５】
本発明は、あらゆるユーザ端末、サーバ、対応するコンポーネント、及び／又はあらゆる通信システム、又は異なる通信システムのあらゆる組み合わせに適用可能である。通信システムは、固定通信システムであっても、又はモバイル通信システムであっても、又は固定ネットワークとモバイルネットワークの両方を利用する通信システムであってもよい。特に無線通信では、使用するプロトコル、通信システム、サーバ及びユーザ端末の仕様が急速に発展を遂げている。このような発展により、実施形態へのさらなる変更が必要となる場合がある。したがって、全ての単語及び表現は広く解釈すべきであり、これらは実施形態を限定することではなく例示することを意図するものである。
【００１６】
以下では、様々な実施形態について、これらの実施形態を適用できるシステムアーキテクチャの例として、ＬＴＥ／ＳＡＥ（ロングタームエボリューション／システムアーキテクチャエボリューション）ネットワーク要素に基づくアーキテクチャを使用して説明するが、これらの実施形態はこのようなアーキテクチャに限定されることはない。さらに、以下の実施形態では、符号語／トランスポートブロックに対してＨＡＲＱを規定する例について説明する。しかしながら、代わりに他のあらゆるＨＡＲＱエンティティ／粒度を使用することができ、すなわちＨＡＲＱ−ＡＣＫを符号語（物理層エンティティ）又はトランスポートブロック（ＭＡＣ層エンティティ）に関連付けることができる。
【００１７】
図１を参照しながら、本発明の実施形態を適用できる無線システムの例について検討する。この例では、無線システムが、ＬＴＥ／ＳＡＥ（ロングタームエボリューション／システムアーキテクチャエボリューション）ネットワーク要素に基づく。しかしながら、これらの例において説明する発明はＬＴＥ／ＳＡＥ無線システムに限定されず、ＷＩＭＡＸ（ワールドワイド・インターオペラビリティ・フォー・マイクロウェーブ・アクセス）などの他の無線システムにおいて、又はその他の適当な無線システムにおいて実現することもできる。
【００１８】
無線システムの一般的アーキテクチャを図１に示す。図１は、いくつかの要素及び機能エンティティのみを示す簡略化したシステムアーキテクチャであり、これらの要素及び機能エンティティはすべて論理ユニットであり、実施構成は図示のものと異なる場合がある。図１に示す接続は論理接続であり、実際の物理接続は異なる場合がある。当業者には、このシステムが他の機能及び構造も含むことが明らかである。なお、グループ通信において又はグループ通信のために使用する機能、構造、要素及びプロトコルは、実際の発明とは無関係である。したがって、本明細書では、これらをより詳細に説明する必要はない。
【００１９】
図１の例示的な無線システムは、ＭＭＥ（モビリティ管理エンティティ）１０６及びＳＡＥ  ＧＷ（ＳＡＥゲートウェイ）１０８といった要素を含む事業者のサービスコアを含む。
【００２０】
無線システムの、ｅＮＢ（拡張型ノードＢ）と呼ぶこともできる基地局が、無線ベアラ制御、無線アドミッション制御、接続モビリティ制御、動的リソース割り当て（スケジューリング）といった無線リソース管理のための機能をホストする。ＭＭＥ１０６は、ｅＮＢ１０４にページングメッセージを配信する役割を担う。
【００２１】
モバイル端末と呼ぶこともできるユーザ装置（ＵＥ）１０２は、信号１１８を使用して基地局１０４と通信することができる。ＵＥ１０２と基地局１０４の間の信号１１８は、トラフィックデータ又は制御データなどのデジタル情報を運ぶ。
【００２２】
コール／サービスは、ユーザトラフィックがＳＡＥ  ＧＷ１０８を介して通過する「長距離」とすることができる。例えば、ＳＡＥ  ＧＷ１０８を介して、ＵＥ１０２からインターネット１１０などの外部ＩＰネットワークへの接続を導くことができる。しかしながら、例示的な無線システムでは、ローカルコール／サービスも可能である。
【００２３】
無線システムの個々の基地局１０４が、パイロット信号とすることができる信号１１８をブロードキャストすることにより、ＵＥ１０２は、ＵＥ１０２にサービスを提供するための潜在的基地局を観察できるようになる。このパイロット信号に基づいて、モバイル端末は、スイッチがオンになったときに通信を開始する相手の基地局、又は通常動作中にハンドオフを行う基地局を選択する。
【００２４】
ＡＣＫ／ＮＡＫのバンドル化モードでは、ＵＥ１０２及びｅＮＢ１０４の両方が、ダウンリンクにおいてどれだけのリソース割り当てグラント及び対応するデータパケットをｅＮＢ１０４が送信し、ＵＥ１０２が受信しているか、及びこれらをアップリンクにおいてどれだけ同時にＡＣＫ／ＮＡＫする必要があるかを知っている必要がある。そうでなければ、ＵＥ１０２は、バンドル化したＡＣＫを送信することはできるが、いくつかのダウンリンクグラントが紛失し、この種のエラーが「ＤＴＸ対ＡＣＫ」エラーとして示される。
【００２５】
このＤＴＸ対ＡＣＫエラーに対処する（或いは、ＤＴＸ対ＡＣＫの確率を許容可能レベルに制限する）ために、例えばＬＴＥリリース８  ＴＤＤ（時分割二重）では、「バンドル化ウィンドウ」内のダウンリンクグラントの数に関する情報を示すために、ダウンリンク及びアップリンクグラントにＤＡＩ（ダウンリンク振り分けインデックス）フィールドが含まれていた。
【００２６】
ＮｘＰＤＣＣＨ構造を使用するＬＴＥ−Ａｄｖａｎｃｅｄ  ＦＤＤ（周波数分割二重）では、ＡＣＫ／ＮＡＫのバンドル化をサポートするための１つの方法は、ＬＴＥリリース８  ＴＤＤでの方法を再使用すること（すなわち、ＡＣＫ／ＮＡＫシグナリングの観点からすれば、コンポーネントキャリアをＴＤＤサブフレームとみなし、ダウンリンクグラントにＤＡＩフィールドを含めてＤＴＸ対ＡＣＫエラーに対処すること）であり、これは、既存のＤＣＩフォーマットに新しいＤＡＩフィールドを追加すべきであることを意味する。或いは、ＬＴＥ−Ａｄｖａｎｃｅｄ  ＤＣＩフォーマットのみの設計を検討することもできる。しかしながら、これらの方法は、基本的に両方とも、ＬＴＥ−Ａｄｖａｎｃｅｄ端末のブラインドＤＣＩ復号負荷が増すことを意味する。別の問題点は、このＤＡＩビットが、ＬＴＥリリース８  ＦＤＤに比較して追加のシステムオーバヘッドをもたらすという点である（ＵＬ／ＤＬグラントに２つのＤＡＩビットが存在すると、動的にスケジュールされたＵＥ当たり、リンク（ＵＬ／ＤＬ）当たり、及びＣＣ当たり２ｋｂ／ｓの追加の制御信号オーバヘッドが生じる）。
【００２７】
ＵＥの省電力化及びシステムオーバヘッドの観点から、本発明の実施形態は、例えばＬＴＥ−Ａｄｖａｎｃｅｄ  ＦＤＤシステムにおけるＡＣＫ／ＮＡＫのバンドル化をサポートするために非ＤＡＩベースの解決策の例を示す。
【００２８】
ある実施形態では、既存のＰＤＣＣＨ設計（ＮｘＰＤＣＣＨ）を使用する場合のＬＴＥ−ＡｄｖａｎｃｅｄのＰＵＣＣＨにおけるＡＣＫ／ＮＡＫのバンドル化を、ダウンリンクグラントにＤＡＩビットを含めずにサポートするための解決策を提案する。なお、既存のＰＤＣＣＨ設計及びリリース８  ＴＤＤからのマッピングテーブルを使用した場合、（ＣＭが小さな）ＡＣＫ／ＮＡＫ多重化のサポートには、特別な構成は必要ない［ＴＳ３６．２１３、第１０．１欄］。
【００２９】
ＮｘＰＤＣＣＨ構造を使用するＬＴＥ−Ａｄｖａｎｃｅｄ  ＦＤＤでは、ＰＵＣＣＨにおけるＡＣＫ／ＮＡＫのバンドル化をＤＡＩを使用せずにサポートするには以下の方法が容易である（ＵＥの受信帯域幅内でＭ個のコンポーネントキャリアが半静的に割り当てられていると仮定する）。
・ｅＮＢが、ＰＤＣＣＨ／ＰＤＳＣＨをＭ個のＣＣ全ての中にスケジューリングすること、又は、
・ｅＮＢが最初のＮ個の（連続した）ＣＣをスケジューリングする（Ｎ＜Ｍ）こと。このような方法では、バンドル化したＡＣＫ／ＮＡＫ／ＤＴＸの送信が、最後に正しく受信したＰＤＣＣＨに基づき、また事前に定めたＣＣ付番スキームが必要となる。
【００３０】
これらの解決策の１つの利点は、ＤＡＩビットに関する追加のオーバヘッド要件が存在しないという点である。しかしながら、ＤＴＸ対ＡＣＫの確率を許容可能レベルに維持するために、依然として厳しいスケジューリング制約が必要である。
【００３１】
したがって、本発明の実施形態は、ＬＴＥ−Ａｄｖａｎｃｅｄ  ＦＤＤなどにおいてＡＣＫ／ＮＡＫのバンドル化をサポートするためのより発展した非ＤＡＩベースの解決策について説明するものであり、この実施形態は、
・あらゆる数のＣＣ割り当て及び完全なスケジューリングの柔軟性がサポートされ、
・ＤＴＸ対ＡＣＫの確率が許容可能レベル（すなわち１Ｅ−４以下）に制限される、
ことを保証することができる。
【００３２】
本発明の例示的な実施形態をさらに説明する前に、本発明の例示的な実施形態の実施において使用するのに適した装置の例を示す簡略ブロック図である図２を参照する。
【００３３】
図２では、無線ネットワークが、少なくとも１つのｅＮＢ１０４を介してＵＥ１０２と通信するようになっている。装置１０２、１０４を単一のエンティティとして示しているが、１又はそれ以上の物理又は論理エンティティに異なるモジュール及びメモリを実装することができる。同時に、ＵＥ１０２は、ユーザ装置の受信帯域幅内でコンポーネントキャリアにわたって周波数（及び／又は空間）領域肯定応答／否定応答（ＡＣＫ／ＮＡＫ）バンドル化を実行するように構成される（ＵＥの受信帯域幅には、以下の特性が関連し得る：ＵＥ固有又はセル固有とすることができる。ＵＥカテゴリに関連することもできる。ＵＥ固有である場合、ＵＥ固有の高層シグナリングなどにより動的に構成することができる。受信帯域幅は、（ＰＤＳＣＨなどの）ＵＥがＤＬデータを受信できるコンポーネントキャリアで構成される。）この目的のために、ＵＥ１０２は、プロセッサ２０２と、様々な出力、情報及びメッセージを送受信するための通信ユニット２００とを含む。ＵＥ１０２は、制御情報を少なくとも一時的に記憶するためのメモリを含むこともできる。ＵＥ１０２は、実行するＡＣＫ／ＮＡＫのバンドル化に基づいて少なくとも１つの符号語に対応するバンドル化したＡＣＫ／ＮＡＫ値を生成するように構成された（プロセッサ２０２及び／又はメモリの一部などとしての）生成装置をさらに含む。次に、プロセッサ２０２は、生成されたバンドル化したＡＣＫ／ＮＡＫ値及びユーザ装置の受信帯域幅内の検出されたダウンリンクグラントの数に関する情報を、アップリンク制御チャネル２１０で送信されるＡＣＫ／ＮＡＫリソースに含めるように構成される。例えば、メモリは、プロセッサ２０２が実施形態による装置の動作に関連するステップを実行するための、（検出装置などのための）ソフトウェアアプリケーション又はオペレーティングシステムなどのコンピュータプログラムコード、情報、データ、コンテンツなどを記憶することができる。図示の実施形態では、メモリが、ユーザ装置の受信帯域幅のコンポーネントキャリアにわたって周波数及び／又は空間領域肯定応答／否定応答（ＡＣＫ／ＮＡＫ）バンドル化を実行する方法、実行したＡＣＫ／ＮＡＫのバンドル化に基づいて少なくとも１つの符号語に対応するバンドル化したＡＣＫ／ＮＡＫ値を生成する方法、及び生成されたバンドル化したＡＣＫ／ＮＡＫ値及びユーザ装置の受信帯域幅内の検出されたダウンリンクグラントの数に関する情報を、アップリンク制御チャネルで送信されるＡＣＫ／ＮＡＫリソースに含める方法に関する命令を記憶する。メモリは、例えばランダムアクセスメモリ（ＲＡＭ）、ハードドライブ、又はその他の固定データメモリ又は記憶装置であってもよい。さらに、メモリ又はその一部は、装置に着脱自在に接続された取り外し可能メモリであってもよい。
【００３４】
通信ユニット２００は、公衆移動体通信網の１又はそれ以上の基地局の一部とすることができる装置１０４と通信するように構成される。ユーザ装置１０２は、ユーザ端末及びそのユーザを加入に結び付け、或いは結び付けるように構成されるとともにユーザが通信システムとやりとりできるようにする設備又は装置の一部であるユーザ端末であってもよい。ユーザ端末は、ユーザに情報を示してユーザが情報を入力できるようにする。換言すれば、ユーザ端末は、ネットワークとの間で情報を受信及び／又は送信することができ、無線で又は固定接続を介してネットワークに接続できるいずれの端末であってもよい。ユーザ端末の例として、パーソナルコンピュータ、ゲームコンソール、ラップトップ（ノートブック）、携帯情報端末、移動局（携帯電話）、及び回線電話が挙げられる。通常、処理ユニット２０２には、マイクロプロセッサ、シグナルプロセッサ又は別個のコンポーネント、及び関連するソフトウェアが実装される。
【００３５】
以下、図３〜図１２を参照しながらプロセッサ２０２の機能についてより詳細に説明する。なお、装置は、他の異なるユニットを含むこともできる。しかしながら、これらは本発明とは無関係であり、従って本明細書ではこれらについてより詳細に説明する必要はない。
【００３６】
装置１０４は、実施形態の少なくともいくつかの必要な機能を提供できるいずれのネットワークノード又はホストであってもよい。装置１０４は、基地局の一部であるエンティティなどの、無線システムのネットワークエンティティであってもよい。システムの異なるネットワークエンティティに装置の異なるモジュールが存在することもできる。
【００３７】
一般に、装置１０４は、装置のメモリ及び様々なインターフェイス２２２に接続されたプロセッサ２２４、コントローラ、制御ユニットなどを含むことができる。一般的には、プロセッサ２２４は中央処理装置であるが、追加の演算プロセッサであってもよい。プロセッサは、コンピュータプロセッサ、特定用途向け集積回路（ＡＳＩＣ）、フィールドプログラマブルゲートアレイ（ＦＰＧＡ）、及び／又は実施形態の１又はそれ以上の機能を実行するようにプログラムされたその他のハードウェアコンポーネントを含むことができる。
【００３８】
装置１０４は、揮発性及び／又は不揮発性メモリを含むメモリを含むことができ、通常はコンテンツ、データなどを記憶する。例えば、メモリは、（検出装置などのための）ソフトウェアアプリケーションなどのコンピュータプログラムコード、又はプロセッサ２２４が装置の動作に関連するステップを実施形態に基づいて実行するためのオペレーティングシステム、情報、データ、コンテンツなどを記憶することができる。例示の実施形態では、メモリが、アップリンク制御チャネルにおける肯定応答／否定応答（ＡＣＫ／ＮＡＫ）リソースに含まれる生成されたバンドル化したＡＣＫ／ＮＡＫ値及びユーザ装置の受信帯域幅内の検出されたダウンリンクグラントの数に関する情報を受信する方法、受信した情報に基づいてＡＣＫ／ＮＡＫ／ＤＴＸ（断続的送信）検出を行う方法、及びＡＣＫ／ＮＡＫ／ＤＴＸ検出に基づいて状態が正しいどうかを判定する方法に関する命令を記憶する。メモリは、例えばランダムアクセスメモリ（ＲＡＭ）、ハードドライブ、又はその他の固定データメモリ又は記憶装置であってもよい。さらに、メモリ又はその一部は、装置に着脱自在に接続された取り外し可能メモリであってもよい。
【００３９】
本明細書で説明した技術を様々な手段によって実現することにより、実施形態とともに説明する１又はそれ以上の機能を実施する装置が、従来技術の手段だけでなく、実施形態とともに説明する対応する装置の１又はそれ以上の機能を実施するための手段を含むとともに、個々の別個の機能のための別個の手段を含むことができるように、或いはこれらの手段を２又はそれ以上の機能を実行するよう構成できるようにすることができる。例えば、これらの技術を、ハードウェア（１又はそれ以上の装置）、ファームウェア（１又はそれ以上の装置）、ソフトウェア（１又はそれ以上のモジュール）、又はこれらの組み合わせで実装することができる。ファームウェア又はソフトウェアの場合、本明細書で説明する機能を実行するモジュール（手順、機能など）を介して実装することができる。ソフトウェアコードは、いずれかの適当なプロセッサ／（単複の）コンピュータ可読データ記憶媒体又は（単複の）メモリユニット又は（単複の）製造の物品に記憶することができ、１又はそれ以上のプロセッサ／コンピュータによって実行することができる。データ記憶媒体又はメモリユニットは、プロセッサ／コンピュータ内、又はプロセッサ／コンピュータの外部に実装することができ、この場合当業で公知のように様々な手段を介してプロセッサ／コンピュータに通信可能に結合することができる。
【００４０】
メモリには、実行可能コード又は（ソフトウェア又はファームウェアなどの）命令、電子データ、データベース、又はその他のデジタル情報などのプログラムを記憶することができ、このメモリはプロセッサ使用可能媒体を含むことができる。プロセッサ使用可能媒体は、例示的な実施形態におけるプロセッサ２０２、２２４を含む命令実行システムによって又はこれと接続して使用するためのプログラム、データ又はデジタル情報を含み、記憶し、又は保持することができるいずれかのコンピュータプログラム製品又は製造の物品の形で具体化することができる。例えば、例示的なプロセッサ使用可能媒体は、電子、磁気、光学、電磁、及び赤外線又は半導体媒体などの物理媒体のいずれか１つを含むことができる。プロセッサ使用可能媒体のいくつかの特定の例として、以下に限定されるわけではないが、フロッピー（登録商標）ディスケットなどのポータブル磁気コンピュータディスケット、ジップディスク、ハードドライブ、ランダムアクセスメモリ、読み出し専用メモリ、フラッシュメモリ、キャッシュメモリ、或いはプログラム、データ又はその他のデジタル情報を記憶することができるその他の構成が挙げられる。
【００４１】
本明細書で説明する少なくともいくつかの実施形態又は態様は、上述した適当なメモリに記憶された、或いはネットワーク又はその他の送信媒体を介して通信され適当なプロセッサを制御するように構成されたプログラムを使用して実現することができる。例えば、プログラムは、例えば製造の物品内で具体化されるもの、通信ネットワーク（インターネット又はプライベートネットワークなど）、有線電気接続、光学接続又は電磁エネルギーなどの適当な送信媒体を介して通信されるデータ信号内で具体化されるもの（変調搬送波、データパケット、デジタル表示など）を含む適当な媒体を介して、例えば通信インターフェイスを通じて提供することができ、或いは別の適当な通信構造又は媒体を使用して提供することができる。プロセッサ使用可能コードを含む例示的なプログラムは、搬送波内で具体化されたデータ信号として通信することができるが、これは一例にすぎない。
【００４２】
ある実施形態では、プロセッサ２０２が、少なくとも２つの空間符号語に対応する２つのＡＣＫ／ＮＡＫビットにわたって空間領域バンドル化を実行するようにさらに構成される。
【００４３】
ある実施形態では、生成装置が、全てのコンポーネントキャリア内の送信された全てのダウンリンクトランスポートブロックのための、及び少なくとも２つの空間符号語に対応する１つのバンドル化したＡＣＫ／ＮＡＫビットを生成することにより、バンドル化したＡＣＫ／ＮＡＫ値を生成するようにさらに構成される。
【００４４】
ある実施形態では、プロセッサが、Ｎ2状態を表すＮビットを使用することにより、物理アップリンク共有チャネルにおけるＡＣＫ／ＮＡＫのバンドル化を実行するように構成される。
【００４５】
ある実施形態では、生成装置が、生成されたバンドル化したＡＣＫ／ＮＡＫ値及び検出されたグラントの数に基づいて、直交状態の組から利用可能な状態を選択するようにさらに構成され、この利用可能な直交状態は、変調（ＢＰＳＫ（二位相偏移変調）／ＱＰＳＫ（四相位相変調）など）の配置により利用可能な状態、送信がないことにより利用可能な状態（すなわちＤＴＸ）、及び複数のリソースを占有することにより利用可能な状態という１又はそれ以上の状態を含み、アップリンク制御チャネルで送信される情報は、直交状態の選択により伝達される。所定数の直交状態が利用可能であり、４つの状態のうちの２つは、ＢＰＳＫ／ＱＰＳＫの配置によってリソースごとに利用可能であり、１つの状態は、送信のない状態に対応するＤＴＸ（及びＤＴＸ＋ＮＡＫ）によって利用可能である。複数の（Ｎｘ）ＣＣＥ（制御チャネル要素）を確保することなどにより複数のリソースを使用する場合に利用可能な追加の状態（Ｎｘ）も存在することができる。したがって、ＵＥは、生成されたバンドル化したＡＣＫ／ＮＡＫ値及び検出されたダウンリンクグラントの数に関する情報に基づいて１つの状態を選択することができる。
【００４６】
ある実施形態では、アップリンク制御チャネルで送信される情報が１又はそれ以上の情報ビットを含み、２つの情報ビットの値が、バンドル化したＡＣＫ／ＮＡＫビットの値及び検出されたダウンリンクグラントの数に依存する。ある実施形態では、２つの情報ビットのうちの１つのビットの値が、ユーザ装置の受信帯域幅内の受信／検出されたダウンリンクグラントの数に等しい。ある実施形態では、２つの情報ビットのうちの１つのビットの値が、バンドル化したＡＣＫ／ＮＡＫ値に等しい。
【００４７】
ある実施形態では、プロセッサが、各々が２つの空間符号語及び１又はそれ以上のダウンリンクグラントにわたるＡＣＫ又はＮＡＫとして定義される少なくとも４つの状態に２つの情報ビットをマップすべく所定のマッピングを実行するようにさらに構成される。
【００４８】
ある実施形態では、プロセッサが、２つの空間符号語及び全てのダウンリンクグラントにわたってＮＡＫである状態０、２つの空間符号語及び１つ又は４つのダウンリンクグラントにわたってＡＣＫである状態１、２つの空間符号語及び２つ又は５つのダウンリンクグラントにわたってＡＣＫである状態２、２つの空間符号語及び３つのダウンリンクグラントにわたってＡＣＫである状態３という４つの状態に２つの情報ビットをマップすべく所定のマッピングを実行するようにさらに構成される。ある実施形態では、４つの状態が、ＱＰＳＫの配置点（又はｐｉ／４回転したＱＰＳＫの配置点）にマップされる。
【００４９】
ある実施形態では、プロセッサが、バンドル化したＡＣＫ／ＮＡＫ値がＮＡＫである場合、ＮＡＫ及びＤＴＸに同じ状態を共有させるようにさらに構成される。ある実施形態では、プロセッサが、バンドル化の結果がＡＣＫである場合、２つの空間符号語及び１つ又は５つのダウンリンクグラントにわたってＡＣＫである状態０、２つの空間符号語及び２つのダウンリンクグラントにわたってＡＣＫである状態１、２つの空間符号語及び３つのダウンリンクグラントにわたってＡＣＫである状態２、２つの空間符号語及び４つのダウンリンクグラントにわたってＡＣＫである状態３という４つの状態に２つの情報ビットをマップすべく所定のマッピングを実行するようにさらに構成される。ある実施形態では、４つの状態が、ＱＰＳＫの配置点（又はｐｉ／４回転したＱＰＳＫの配置点）にマップされる。
【００５０】
ある実施形態では、プロセッサ２０２が、１つ又は２つの情報ビットをＱＰＳＫ変調記号にマップすべく所定のマッピングを実行し、配置マップ内のダウンリンクグラントの奇数にわたるバンドル化したＡＣＫに対応する状態と、ダウンリンクグラントの偶数にわたるバンドル化したＡＣＫに対応する状態との間の最大ユークリッド距離を保証するようにさらに構成される。
【００５１】
ある実施形態では、アップリンク制御チャネルで送信される情報が１つ又は２つの情報ビットを含み、ＡＣＫ／ＮＡＫリソースが、所定のダウンリンクグラントに基づいて選択されたＡＣＫ／ＮＡＫチャネルの一方である。ある実施形態では、この１つ又は２つの情報ビットの値が、バンドル化したＡＣＫ／ＮＡＫ値に等しい。ある実施形態では、プロセッサが、ユーザ装置の受信帯域幅内の受信／検出されたダウンリンクグラントの数に基づいて、第１又は第２のＡＣＫ／ＮＡＫチャネルを決定するように構成される。
【００５２】
ある実施形態では、１つの符号語送信を使用する場合、プロセッサ２０２が、全てのダウンリンクグラントにわたってＮＡＫであり或いは１つ又は５つのダウンリンクグラントにわたってＡＣＫである状態０、１つ又は４つのダウンリンクグラントにわたってＡＣＫであり或いは２つのダウンリンクグラントにわたってＡＣＫである状態１、２つ又は５つのダウンリンクグラントにわたってＡＣＫであり或いは３つのダウンリンクグラントにわたってＡＣＫである状態２、３つのダウンリンクグラントにわたってＡＣＫであり或いは４つのダウンリンクグラントにわたってＡＣＫである状態３という４つの状態に１つの情報ビットの値及びＡＣＫ／ＮＡＫチャネル選択をマップすべく所定のマッピングを実行するようにさらに構成される。
【００５３】
ある実施形態では、１つの符号語送信を使用する場合、プロセッサが、バンドル化の結果がＮＡＫである場合には、ＮＡＫ及びＤＴＸに同じ状態を共有させ、この状態に１つの情報ビットの値及びＡＣＫ／ＮＡＫチャネルの選択をマップすべく所定のマッピングを実行し、バンドル化の結果がＡＣＫである場合には、２つの空間符号語及び１つ又は５つのダウンリンクグラントにわたってＡＣＫである状態０、２つの空間符号語及び２つのダウンリンクグラントにわたってＡＣＫである状態１、２つの空間符号語及び３つのダウンリンクグラントにわたってＡＣＫである状態２、２つの空間符号語及び４つのダウンリンクグラントにわたってＡＣＫである状態３という４つの状態に２つの情報ビットをマップすべく所定のマッピングを実行するように構成される。
【００５４】
ある実施形態では、２つの符号語送信を使用する場合、プロセッサが、バンドル化したＡＣＫ／ＮＡＫ結果の値と検出されたダウンリンクグラントの数に関する情報を各々が示す８つの直交状態に情報ビットの値及びＡＣＫ／ＮＡＫチャネル選択をマップすべく所定のマッピングを実行するように構成される。
【００５５】
ある実施形態では、ユーザ装置の受信帯域幅内の少なくとも１つのダウンリンクグラントが、１よりも多くの制御チャネル要素（ＣＣＥ）及び１よりも多くのＡＣＫ／ＮＡＫチャネルを含む。
【００５６】
ある実施形態では、情報が２つの情報ビットを含む場合、プロセッサが、検出されたダウンリンクグラントの数及びバンドル化したＡＣＫ／ＮＡＫ値に基づいて２つの情報ビットの値を決定するように構成される。
【００５７】
ある実施形態では、プロセッサが、２つの情報ビットを有するユーザ装置の受信帯域幅内の受信又は検出されたダウンリンクグラントの数を示し、バンドル化したＡＣＫ／ＮＡＫ値に基づいてＡＣＫ／ＮＡＫチャネルの一方を選択するように構成される。
【００５８】
ある実施形態では、プロセッサが、１つのビットを使用することによってＡＣＫ／ＮＡＫ値を送信し、チャネル選択を使用してユーザ装置の受信帯域幅内の受信又は検出されたダウンリンクグラントの数を示すように構成される。
【００５９】
ある実施形態では、プロセッサが、２つの情報ビットの値の組み合わせを決定し、バンドル化したＡＣＫ／ＮＡＫの結果及び検出されたダウンリンクグラントの数に関する情報に基づいてＡＣＫ／ＮＡＫチャネルの一方を選択するように構成される。
【００６０】
ある実施形態では、インターフェイス２２２が、アップリンク制御チャネルにおける肯定応答／否定応答（ＡＣＫ／ＮＡＫ）リソースに含まれる生成されたバンドル化したＡＣＫ／ＮＡＫ値及びユーザ装置の受信帯域幅内の検出されたダウンリンクグラントの数に関する情報を受信するように構成され、プロセッサ２２４が、受信された情報に基づいてＡＣＫ／ＮＡＫ／ＤＴＸ（断続的送信）検出を実行し、このＡＣＫ／ＮＡＫ／ＤＴＸ検出に基づいて、検出されたＡＣＫ／ＮＡＫ状態が正しいＡＣＫ／ＮＡＫを表すかどうかを判定するように構成される。
【００６１】
ある実施形態では、プロセッサ２２４が、ＡＣＫ／ＮＡＫ／ＤＴＸ検出の結果に基づいて１又はそれ以上のコンポーネントキャリアにリソースを割り当てるように構成される。
【００６２】
ある実施形態では、プロセッサ２２４が、検出されたＡＣＫ／ＮＡＫ／ＤＴＸに基づいてスケジューリング決定を行うように構成される。
【００６３】
ある実施形態では、ユーザ装置の受信帯域幅のコンポーネントキャリアにわたって周波数領域肯定応答／否定応答（ＡＣＫ／ＮＡＫ）バンドル化を実行するための処理手段と、実行されたＡＣＫ／ＮＡＫのバンドル化に基づいて少なくとも１つの符号語に対応するバンドル化したＡＣＫ／ＮＡＫ値を生成するための生成手段と、この生成されたバンドル化したＡＣＫ／ＮＡＫ値及び検出されたダウンリンクグラントの数に関する情報を、アップリンク制御チャネルで送信されるＡＣＫ／ＮＡＫリソースに含めるための処理手段とを含む装置が提供される。
【００６４】
ある実施形態では、アップリンク制御チャネルにおける肯定応答／否定応答（ＡＣＫ／ＮＡＫ）リソースに含まれる生成されたバンドル化したＡＣＫ／ＮＡＫ値及びユーザ装置の受信帯域幅内の検出されたダウンリンクグラントの数に関する情報を受信するための受信手段と、受信した情報に基づいてＡＣＫ／ＮＡＫ／ＤＴＸ（断続的送信）検出を実行するための処理手段と、ＡＣＫ／ＮＡＫ／ＤＴＸ検出に基づいて状態が正しいかどうかを判定するための処理手段とが提供される。
【００６５】
以下の例では、ＮｘＰＤＣＣＨ構造を有するＬＴＥ−Ａｄｖａｎｃｅｄ  ＦＤＤにおけるＰＵＣＣＨでのＡＣＫ／ＮＡＫのバンドル化をサポートするための非ＤＡＩベースの方法の実施形態について説明する。説明する方法に共通して１つ指定できることは、ＰＵＣＣＨで送信されるバンドル化したＡＣＫ／ＮＡＫメッセージ及び／又はＡＣＫ／ＮＡＫリソースに、ＵＥの受信帯域幅内の受信／検出されたＤＬグラントの数に関する所定の情報が含まれるということである。
【００６６】
例示的な実施形態１のルール：
・２つの空間符号語に対応する２つのＡＣＫ／ＮＡＣＫビットにわたって空間領域バンドル化を実行する。しかしながら、このステップは、単一の符号語送信の場合には必要ない。
・ＵＥの受信帯域幅内のＣＣ全体にわたる周波数領域バンドル化を実行し、ＵＥの受信帯域幅内の全てのＣＣで送信された、少なくとも２つの空間符号語に対応する全てのＤＬトランスポートブロックに対して１つのバンドル化したＡＣＫ／ＮＡＫビットを生成する。
・ＵＥは、ＡＣＫ／ＮＡＫリソースで２つの情報ビットを送信する。
・ｅＮＢ側では、ｅＮＢが、その予想されるＡＣＫ／ＮＡＫチャネルでＡＣＫ／ＮＡＫ／ＤＴＸ検出を行い、状態が正しいかどうかをチェックする。
【００６７】
ある実施形態では、この２つのビットの値が、バンドル化したＡＣＫ／ＮＡＫビットの値及びＵＥの受信帯域幅内の検出されたＤＬグラントに数に依存する。ある実施形態では、使用するＡＣＫ／ＮＡＫリソースを（周波数領域において最後に受信／検出されたＤＬグラントから得られるＡ／Ｎリソースのように）事前に定めることができる。ある実施形態では、所定のマッピングを利用して２つの情報ビットをＱＰＳＫ変調記号にマップし、このマッピングにより、近傍の状態が配置マップ内の最大ユークリッド距離を有するはずであるいうことを保証すべきである。
【００６８】
実施形態１は、例えば、追加の制御オーバヘッドを伴わない非ＤＡＩベースの解決策を提供し、あらゆる数のコンポーネントキャリア割り当て及び完全なスケジューリングの柔軟性をサポートすることができ、ＤＴＸ対ＡＣＫエラーの確率を許容可能レベルに制限することができるといったいくつかの利点を提供する。
【００６９】
例示的な実施形態２のルール：
・１つの空間符号語につき、ＵＥの受信帯域幅のＣＣにわたって周波数領域ＡＣＫ／ＮＡＫバンドル化を実行する。
・ＵＥは、ＤＬグラント＃ｉから得られるＡＣＫ／ＮＡＫチャネルの一方で（｛ｂ（０）｝又は｛ｂ（０），ｂ（１）｝などの）１つ又は２つの情報ビットを送信する。
【００７０】
ある実施形態では、情報ビットの値及びＡＣＫ／ＮＡＫチャネルの選択が、バンドル化したＡＣＫ／ＮＡＫ値及びＵＥの受信帯域幅内の検出されたＤＬグラントの数に依存する。ある実施形態では、ｉの値が（最初又は最後に検出された、１よりも多くのＣＣＥを含むＤＬグラントなどのように）事前に定められる。
・ＵＥの受信帯域幅内の少なくとも１つのＤＬグラントは、１よりも多くのＣＣＥを含む（注記：このＤＬグラントは、ＵＥの受信帯域幅内のいずれのＣＣにも存在することができる）。
・ｅＮＢ側では、ｅＮＢが、その予想されるＡＣＫ／ＮＡＫチャネルでＡＣＫ／ＮＡＫ／ＤＴＸ検出を行い、状態が正しいかどうかをチェックする。
【００７１】
実施形態２は、例えば、追加の制御オーバヘッドを伴わない非ＤＡＩベースの解決策を提供し、空間バンドル化を行う必要がなく、あらゆる数のコンポーネントキャリア割り当てをサポートすることができ、ＤＴＸ対ＡＣＫエラーの確率を許容可能レベルに制限することができるといったいくつかの利点を提供する。
【００７２】
上記の実施形態１及び２を組み合わせた例示的な実施形態３のルール：
・ＭＩＭＯの場合、２つの空間符号語に対応する２つのＡＣＫ／ＮＡＣＫビットにわたって空間領域バンドル化を実行する。
・ＵＥの受信帯域幅にわたって周波数領域バンドル化を実行し、１つのバンドル化した空間符号語につき１つのバンドル化したＡＣＫ／ＮＡＫビットをＵＥの受信帯域幅内で生成する。
・ＵＥは、所定のＤＬグラントから得られるＡＣＫ／ＮＡＫチャネルの一方であるＡＣＫ／ＮＡＫリソースで（｛ｂ（０），ｂ（１）｝などの）２つの情報ビットを送信する。
【００７３】
ある実施形態では、２つのビットの値及びチャネル選択が、受信／検出されたＤＬグラントの数及びバンドル化したＡＣＫ／ＮＡＫの値に依存する。組み合わせは以下のようになり得る。
・２つのビットを使用してＵＥの受信帯域幅内の受信／検出されたＤＬグラントの数を示し、チャネル選択が、バンドル化したＡＣＫ／ＮＡＫの値に依存する、又は、
・１つのビットを使用してバンドル化したＡＣＫ／ＮＡＫの値を送信し、もう１つのビットとチャネル選択との組み合わせを使用してＵＥの受信帯域幅内の受信／検出されたＤＬグラントの数を示す、又は、
・２つの情報ビットの値及びチャネル選択の組み合わせが、バンドル化したＡＣＫ／ＮＡＫの結果及び検出されたＤＬグラントの数に関する情報に依存する。
・ＵＥの受信帯域幅内の少なくとも１つのＤＬグラントは、１よりも多くのＣＣＥを含む（注記：このＤＬグラントは、ＵＥの受信帯域幅内のいずれのＣＣにも存在することができる）。
【００７４】
実施形態３は、例えば、追加の制御オーバヘッドを伴わない非ＤＡＩベースの解決策を提供し、あらゆる数のコンポーネントキャリア割り当てをサポートすることができ、ＤＴＸ対ＡＣＫエラーに対処するためにより多くの状態を利用することができ、すなわちエラーケースの処理能力が改善されるといったいくつかの利点を提供する。
【００７５】
図３に、上記実施形態１のような本発明の実施形態による方法の例図を示す。符号語＃１及び符号語＃２は、Ｍ個のコンポーネントキャリア３０１、３０２、．．．、３０４、及び３１１、３１２、．．．、３１４を含む。まず、２つの空間符号語（符号語＃１及び符号語＃２）に対応する２つのＡＣＫ／ＮＡＫビットにわたって空間領域バンドル化を実行する。このことを、コンポーネントキャリアビット３０１と３１１、３０２と３１２、３０４と３１４を囲む破線で示す。次に、ＵＥの受信帯域幅のコンポーネントキャリア全体にわたる周波数領域バンドル化を実行し（破線の円３２０で示す）、ＵＥの受信帯域幅内にあり２つの空間符号語に対応する全てのコンポーネントキャリアで送信される全てのダウンリンクトランスポートブロックに対して１つのバンドル化したＡＣＫ／ＮＡＫビット３１６を生成する。
【００７６】
次に、ＵＥは、ＡＣＫ／ＮＡＫリソースで（｛ｂ（０），ｂ（１）｝などの）２つの情報ビットを送信し、（１）１つのビットの値は、ＵＥの受信帯域幅内の受信／検出されたダウンリンクグラントの数ＭＯＤ２に等しく（すなわち、Ｎｕｍｂｅｒ＿ｏｆ＿ＲＸ＿ＤＬ＿Ｇｒａｎｔ  Ｍｏｄ２）、（２）もう１つのビットの値は、バンドル化したＡＣＫ／ＮＡＫの値に等しく、（３）使用するＡＣＫ／ＮＡＫリソースは（周波数領域内の最後に受信したダウンリンクグラントから得られるＡＣＫ／ＮＡＫリソースなどのように）事前に定められる。
【００７７】
次に、図３の実施形態１による方法を実施するために使用できる異なる選択肢の例について説明する。
選択肢１−１：
・１つのビットの値を「チェッキングビット」と名付け（例えば、以下の例ではｂ（０））、これはＵＥの受信帯域幅内の受信／検出されたダウンリンクグラントに数ＭＯＤ２に等しく（すなわち、Ｎｕｍｂｅｒ＿ｏｆ＿ＲＸ＿ＤＬ＿Ｇｒａｎｔ  ＭＯＤ２）、
・もう１つのビットの値（例えば、以下の例ではｂ（１））は、バンドル化したＡＣＫ／ＮＡＫ値の値に等しい。
選択肢１−２：
・所定のマッピングを使用して、２つのビットを以下の４つの状態にマップする。
○状態０：２つの空間符号語及び全てのＤＬグラントにわたってＮＡＫ、
○状態１：２つの空間符号語及び１つ又は４つのＤＬグラントにわたってＡＣＫ、
○状態２：２つの空間符号語及び２つ又は５つのＤＬグラントにわたってＡＣＫ、
○状態３：２つの空間符号語及び３つのＤＬグラントにわたってＡＣＫ。
選択肢１−３：
・バンドル化の結果がＮＡＫである場合、ＮＡＫ及びＤＴＸに同じ状態を共有させる。
・バンドル化の結果がＡＣＫである場合、所定のマッピングを利用して２つのビットを以下の４つの状態にマップする。
○状態０：２つの空間符号語及び１つ／又は５つのＤＬグラントにわたってＡＣＫ、    ○状態１：２つの空間符号語及び２つのＤＬグラントにわたってＡＣＫ、
○状態２：２つの空間符号語及び３つのＤＬグラントにわたってＡＣＫ、
○状態３：２つの空間符号語及び４つのＤＬグラントにわたってＡＣＫ。
【００７８】
ある実施形態では、使用するＡＣＫ／ＮＡＫリソースを（以下の例では周波数領域内の最後に受信／検出されたＤＬグラントから得られるＡ／Ｎリソースなどのように）事前に定めることができる。
【００７９】
ある実施形態では、所定のマッピングを利用して２つの情報ビットをＱＰＳＫ変調記号にマップし、このマッピングにより、近傍の状態が、配置マップ内の最大ユークリッド距離を有するはずであるいうことを保証すべきである。
【００８０】
ｅＮＢ側では、ｅＮＢが、その予想されるＡＣＫ／ＮＡＫチャネルでＡＣＫ／ＮＡＫ／ＤＴＸ検出を行い、状態が正しいかどうかをチェックする。
【００８１】
図４〜図７に、上述した実施形態１に関するエラーケース対応の例を示す。ＵＥの受信帯域幅内に４つのチャンクが存在し、３つのダウンリンクグラントが割り当てられている（二重符号語を使用する）と仮定する。
【００８２】
図４は、図３に関する方法の実施構成の例図である。図４の例では、全てのダウンリンクグラントが正しく受信／検出されたと仮定する。図４に示す符号語＃１及び符号語＃２は、Ｍ個のコンポーネントキャリア４０１、４０２、．．．、４０４、及び４１１、４１２、．．．、４１４を含む。まず、２つの空間符号語（符号語＃１及び符号語＃２）に対応する２つのＡＣＫ／ＮＡＫビットにわたって空間領域バンドル化を実行する。このことを、コンポーネントキャリアビット４０１と４１１、４０２と４１２、４０４と４１４を囲む破線で示す。次に、ＵＥの受信帯域幅のコンポーネントキャリア全体にわたる周波数領域バンドル化を実行し（破線の円４２０で示す）、ＵＥの受信帯域幅内にあり２つの空間符号語に対応する全てのコンポーネントキャリアで送信される全てのダウンリンクトランスポートブロックに対して１つのバンドル化したＡＣＫ／ＮＡＫビット４１６を生成する。
【００８３】
次に、ＵＥは、ＡＣＫ／ＮＡＫリソースで２つの情報ビットを送信し、（１）１つのビットの値は、Ｎｕｍｂｅｒ＿ｏｆ＿ＲＸ＿ＤＬ＿Ｇｒａｎｔ  ＭＯＤ２に等しく、ここではＮｕｍｂｅｒ＿ｏｆ＿ＲＸ＿ＤＬ＿Ｇｒａｎｔ＝３であり、従ってｂ（０）＝３  ＭＯＤ  ２＝１となり、（２）もう１つのビットの値は、バンドル化したＡＣＫ／ＮＡＫの値に等しく、ここではＢｕｎｄｌｅｄ＿ＡＮ＿Ｖａｌｕｅ＝１であり、従ってｂ（１）＝１となる。ＵＥは、ＣＣ＃４のダウンリンクグラントに対応するＡＣＫ／ＮＡＫリソースで｛１，１｝を送信する。ｅＮＢは、（１）ｂ（０）が１に等しいこと、（２）使用するＡＣＫ／ＮＡＫチャネルが、ＣＣ＃４のダウンリンクグラントから得られたものであり、ＤＴＸ対ＡＣＫエラーが存在しないこと、というチェック処理を行う。
【００８４】
図５は、図３に関する方法の別の実施構成の例図である。図５の例では、ＣＣ＃２のダウンリンクグラントが紛失している（ＤＴＸ対ＡＣＫエラーは存在しない）。図５に示す符号語＃１及び符号語＃２は、Ｍ個のコンポーネントキャリア５０１、５０２、．．．、５０４、及び５１１、５１２、．．．、５１４を含む。まず、２つの空間符号語（符号語＃１及び符号語＃２）に対応する２つのＡＣＫ／ＮＡＫビットにわたって空間領域バンドル化を実行する。このことを、コンポーネントキャリアビット５０１と５１１、５０４と５１４を囲む２つの破線で示す。次に、ＵＥの受信帯域幅のコンポーネントキャリア全体にわたる周波数領域バンドル化を実行し（破線の円５２０で示す）、ＵＥの受信帯域幅内にあり２つの空間符号語に対応する全てのコンポーネントキャリアで送信される全てのダウンリンクトランスポートブロックに対して１つのバンドル化したＡＣＫ／ＮＡＫビット５１６を生成する。
【００８５】
次に、ＵＥは、ＡＣＫ／ＮＡＫリソースで２つの情報ビットを送信し、（１）１つのビットの値は、Ｎｕｍｂｅｒ＿ｏｆ＿ＲＸ＿ＤＬ＿Ｇｒａｎｔに等しく、ここではＮｕｍｂｅｒ＿ｏｆ＿ＲＸ＿ＤＬ＿Ｇｒａｎｔ＝２であり、従ってｂ（０）＝２  ＭＯＤ  ２＝０となり、（２）もう１つのビットの値は、バンドル化したＡＣＫ／ＮＡＫの値に等しく、ここではＢｕｎｄｌｅｄ＿ＡＮ＿Ｖａｌｕｅ＝１であり、従ってｂ（１）＝１となる。ＵＥは、ＣＣ＃４のダウンリンクグラントに対応するＡＣＫ／ＮＡＫリソースで｛０，１｝を送信する。ｅＮＢは、誤ったｂ（０）値によるエラーを検出することができる。したがって、ＤＴＸ対ＡＣＫエラーは発生しない。
【００８６】
図６は、図３に関する方法の別の実施構成の例図である。図６の例では、ＣＣ＃２及びＣＣ＃４のダウンリンクグラントが紛失している（ＤＴＸ対ＡＣＫエラーは存在しない）。図６に示す符号語＃１及び符号語＃２は、Ｍ個のコンポーネントキャリア６０１、６０２、．．．、６０４、及び６１１、６１２、．．．、６１４を含む。まず、２つの空間符号語（符号語＃１及び符号語＃２）に対応する２つのＡＣＫ／ＮＡＫビットにわたって空間領域バンドル化を実行する。このことを、コンポーネントキャリアビット６０１と６１１を囲む破線で示す。次に、ＵＥの受信帯域幅のコンポーネントキャリア全体にわたる周波数領域バンドル化を実行し（破線の円６２０で示す）、ＵＥの受信帯域幅内にあり２つの空間符号語に対応する全てのコンポーネントキャリアで送信される全てのダウンリンクトランスポートブロックに対して１つのバンドル化したＡＣＫ／ＮＡＫビット６１６を生成する。
【００８７】
次に、ＵＥは、ＡＣＫ／ＮＡＫリソースで２つの情報ビットを送信し、（１）１つのビットの値は、Ｎｕｍｂｅｒ＿ｏｆ＿ＲＸ＿ＤＬ＿Ｇｒａｎｔ＝１に等しく、従ってｂ（０）＝１  ＭＯＤ  ２＝１となり、（２）もう１つのビットの値は、バンドル化したＡＣＫ／ＮＡＫの値に等しく、ここではＢｕｎｄｌｅｄ＿ＡＮ＿Ｖａｌｕｅ＝１であり、従ってｂ（１）＝１となる。ＵＥは、ＣＣ＃１のダウンリンクグラントに対応するＡＣＫ／ＮＡＫリソースで｛１，１｝を送信する。ｅＮＢは、誤ったＡＣＫ／ＮＡリソースによるエラーを検出することができる。したがって、ＤＴＸ対ＡＣＫエラーは発生しない。
【００８８】
図７は、図３に関する方法の別の実施構成の例図である。図７の例では、ＣＣ＃１及びＣＣ＃２におけるダウンリンクグラントが紛失しており、ＤＴＸ対ＡＣＫエラーが存在する。しかしながら、１つのダウンリンクグラントが失敗する確率が１Ｅ−２未満であると仮定すると、エラー確率は１Ｅ−４未満である。さらに、この方法の選択肢１−２又は１−３を使用した場合、エラーケースは発生しない。図７に示す符号語＃１及び符号語＃２は、Ｍ個のコンポーネントキャリア７０１、７０２、．．．、７０４、及び７１１、７１２、．．．、７１４を含む。まず、２つの空間符号語（符号語＃１及び符号語＃２）に対応する２つのＡＣＫ／ＮＡＫビットにわたって空間領域バンドル化を実行する。このことを、コンポーネントキャリアビット７０４と７１４を囲む破線で示している。次に、ＵＥの受信帯域幅のコンポーネントキャリア全体にわたる周波数領域バンドル化を実行し（破線の円７２０で示す）、ＵＥの受信帯域幅内にあり２つの空間符号語に対応する全てのコンポーネントキャリアで送信される全てのダウンリンクトランスポートブロックに対して１つのバンドル化したＡＣＫ／ＮＡＫビット７１６を生成する。
【００８９】
次に、ＵＥは、ＡＣＫ／ＮＡＫリソースで２つの情報ビットを送信し、（１）１つのビットの値は、Ｎｕｍｂｅｒ＿ｏｆ＿ＲＸ＿ＤＬ＿Ｇｒａｎｔ＝１に等しく、従ってｂ（０）＝１  ＭＯＤ  ２＝１となり、（２）もう１つのビットの値は、バンドル化したＡＣＫ／ＮＡＫの値に等しく、ここではＢｕｎｄｌｅｄ＿ＡＮ＿Ｖａｌｕｅ＝１であり、従ってｂ（１）＝１となる。ＵＥは、ＣＣ＃４のダウンリンクグラントに対応するＡＣＫ／ＮＡＫリソースで｛１，１｝を送信する。ｅＮＢは、ＤＴＸ対ＡＣＫエラーを検出することができない。しかしながら、エラー確率は約１Ｅ−４である。ある実施形態では、異なるチャンクにわたる紛失ケースを独立したものと考えることができる。
【００９０】
図８は、本発明の実施形態、すなわち上記実施形態２による別の方法の例図である。符号語＃１及び符号語＃２は、Ｍ個のコンポーネントキャリア８０１、８０２、．．．、８０４、及び８１１、８１２、．．．、８１４を含む。まず、１つの空間符号語につき、ＵＥの受信帯域幅内にあるＣＣ全体にわたる周波数領域ＡＣＫ／ＮＡＫのバンドル化を実行し（破線の円８２０及び８２２で示す）、ＵＥの受信帯域幅内にあり２つの空間符号語に対応する全てのコンポーネントキャリアで送信される全てのダウンリンクトランスポートブロックに対して、バンドル化したＡＣＫ／ＮＡＫビット８１６及び８１８を生成する。
【００９１】
次に、ＵＥは、ダウンリンクグラント＃ｉから得られる第１又は第２のＡＣＫ／ＮＡＫチャネルで（｛ｂ（０）｝又は｛ｂ（０），ｂ（１）｝などの）１つ又は２つの情報ビットを送信する。（単複の）情報ビットの値及びＡＣＫ／ＮＡＫチャネルの選択は、以下の選択肢に基づいて決定することができる：
選択肢２−１：
・（単複の）情報ビットの値は、バンドル化したＡＣＫ／ＮＡＫ結果に等しい。
・ＵＥは、ＵＥの受信帯域幅内の受信／検出されたダウンリンクグラントの数に応じて、第１又は第２のＡＣＫ／ＮＡＫチャネルを使用する。以下の例では、
○Ｎｕｍｂｅｒ＿ｏｆ＿ＲＸ＿ＤＬ＿Ｇｒａｎｔ  ＭＯＤ２が０に等しい場合、ＵＥは第１のチャネルを使用する、
○Ｎｕｍｂｅｒ＿ｏｆ＿ＲＸ＿ＤＬ＿Ｇｒａｎｔ  ＭＯＤ２が１に等しい場合、ＵＥは第２のチャネルを使用する。
選択肢２−２：
・１つの符号語の場合、所定のマッピングを利用して、情報ビットの値及びＡＣＫ／ＮＡＫチャネル選択を以下の４つの状態にマップすることができる（オプション２−２−１）。
○状態０：全てのＤＬグラントにわたって、又はＡＣＫ、１つ又は５つのＤＬグラントにわたってＮＡＫ、
○状態１：１つ又は４つのＤＬグラントにわたって、又はＡＣＫ、２つのＤＬグラントにわたってＡＣＫ、
○状態２：２つ又は５つのＤＬグラントにわたって、又はＡＣＫ、３つのＤＬグラントにわたってＡＣＫ、
○状態３：３つのＤＬグラントにわたって、又はＡＣＫ、４つのＤＬグラントにわたってＡＣＫ。
・１つの符号語の場合、別の可能性として、所定のマッピングを利用して情報ビットの値及びＡＣＫ／ＮＡＫチャネル選択を以下の状態にマップすることが挙げられる（選択肢２−２−２）。
○バンドル化の結果がＮＡＫである場合、ＮＡＫ及びＤＴＸに同じ状態を共有させる。
○バンドル化の結果がＡＣＫである場合、所定のマッピングを利用して２つのビットを以下の４つの状態にマップする。
・状態０：２つの空間符号語及び１つ又は５つのＤＬグラントにわたってＡＣＫ、      ・状態１：２つの空間符号語及び２つのＤＬグラントにわたってＡＣＫ、
・状態２：２つの空間符号語及び３つのＤＬグラントにわたってＡＣＫ、
・状態３：２つの空間符号語及び４つのＤＬグラントにわたってＡＣＫ。
・２つの符号語の場合、所定のマッピングを利用して情報ビットの値及びＡＣＫ／ＮＡＫチャネル選択を８つの直交状態にマップする。
・各々の状態を使用して、バンドル化したＡＣＫ／ＮＡＫ結果の値及び検出されたダウンリンクグラントの数に関する情報を示す。
【００９２】
ｉの値は（以下の例では、１よりも多くのＣＣＥを含む最後に検出されたＤＬグラントなどのように）事前に定められる。
【００９３】
さらに、ＵＥの受信帯域幅内の少なくとも１つのダウンリンクグラントは１よりも多くのＣＣＥを含むと仮定する（注記：このＤＬグラントは、ＵＥの受信帯域幅内のいずれのＣＣにも存在することができる）。
【００９４】
ｅＮＢ側では、ｅＮＢが、その予想されるＡＣＫ／ＮＡＫチャネルでＡＣＫ／ＮＡＫ／ＤＴＸ検出を行い、状態が正しいかどうかをチェックする。
【００９５】
図９〜図１２に、上述した実施形態２に関するエラーケース対応の例を示す。ＵＥの受信帯域幅内に４つのチャンクが存在し、３つのダウンリンクグラントが割り当てられている（二重符号語が使用される）と仮定する。
【００９６】
図９は、図８に関する方法の実施構成の例図である。図９の例では、全てのダウンリンクグラントが受信／検出されたと仮定する。図９に示す符号語＃１及び符号語＃２は、Ｍ個のコンポーネントキャリア９０１、９０２、．．．、９０４、及び９１１、９１２、．．．、９１４を含む。まず、ＵＥの受信帯域幅のコンポーネントキャリア全体にわたる周波数領域ＡＣＫ／ＮＡＫのバンドル化を実行し（破線の円９２０及び９２２で示す）、ＵＥの受信帯域幅内にあり２つの空間符号語に対応する全てのコンポーネントキャリアで送信される全てのダウンリンクトランスポートブロックに対して、バンドル化したＡＣＫ／ＮＡＫビット９１６及び９１８を生成する。
【００９７】
次に、ＵＥは、ＡＣＫ／ＮＡＫリソースで（単複の）情報ビットを送信し、（１）情報ビットの値は、（単複の）バンドル化したＡＣＫ／ＮＡＫ結果に等しく、ここではＮｕｍｂｅｒ＿ｏｆ＿ＲＸ＿ＤＬ＿Ｇｒａｎｔ＝３であり、従ってＵＥは、ＣＣ＃４のダウンリンクグラントから得られる第２のチャネルで、バンドル化したＡＣＫ／ＮＡＫを送信する。ｅＮＢは、使用するＡＣＫ／ＮＡＫチャネルが、ＣＣ＃４のダウンリンクグラントから得られる第２のチャネルであることをチェックする。したがって、ＤＴＸ対ＡＣＫエラーは発生しない。
【００９８】
図１０は、図８に関する方法の別の実施構成の例図である。図１０の例では、ＣＣ＃２のダウンリンクグラントが紛失している（ＤＴＸ対ＡＣＫエラーは存在しない）と仮定する。図１０に示す符号語＃１及び符号語＃２は、Ｍ個のコンポーネントキャリア１００１、１００２、．．．、１００４、及び１０１１、１０１２、．．．、１０１４を含む。まず、ＵＥの受信帯域幅のコンポーネントキャリア全体にわたる周波数領域ＡＣＫ／ＮＡＫのバンドル化を実行し（破線の円１０２０及び１０２２で示す）、ＵＥの受信帯域幅内にあり２つの空間符号語に対応する全てのコンポーネントキャリアで送信される全てのダウンリンクトランスポートブロックに対して、バンドル化したＡＣＫ／ＮＡＫビット１０１６及び１０１８を生成する。
【００９９】
次に、ＵＥは、ＡＣＫ／ＮＡＫリソースで（単複の）情報ビットを送信し、（１）情報ビットの値は、（単複の）バンドル化したＡＣＫ／ＮＡＫ結果に等しく、ここではＮｕｍｂｅｒ＿ｏｆ＿ＲＸ＿ＤＬ＿Ｇｒａｎｔ＝２であり、従ってＵＥは、ＣＣ＃４のダウンリンクグラントから得られる第１のチャネルで、バンドル化したＡＣＫ／ＮＡＫを送信する。ＵＥは、誤ったＡＣＫ／ＮＡＫチャネルを使用する。したがって、ＤＴＸ対ＡＣＫエラーは発生しない。
【０１００】
図１１は、図８に関する方法の別の実施構成の例図である。図１１の例では、ＣＣ＃２及びＣＣ＃４のダウンリンクグラントが紛失している（ＤＴＸ対ＡＣＫエラーは存在しない）と仮定する。図１１に示す符号語＃１及び符号語＃２は、Ｍ個のコンポーネントキャリア１１０１、１１０２、．．．、１１０４、及び１１１１、１１１２、．．．、１１１４を含む。まず、ＵＥの受信帯域幅のコンポーネントキャリア全体にわたる周波数領域ＡＣＫ／ＮＡＫのバンドル化を実行し（破線の円１１２０及び１１２２で示す）、ＵＥの受信帯域幅内にあり２つの空間符号語に対応する全てのコンポーネントキャリアで送信される全てのダウンリンクトランスポートブロックに対して、バンドル化したＡＣＫ／ＮＡＫビット１１１６及び１１１８を生成する。
【０１０１】
次に、ＵＥは、ＡＣＫ／ＮＡＫリソースで（単複の）情報ビットを送信し、（１）情報ビットの値は、（単複の）バンドル化したＡＣＫ／ＮＡＫ結果に等しく、ここではＮｕｍｂｅｒ＿ｏｆ＿ＲＸ＿ＤＬ＿Ｇｒａｎｔ＝１であり、従ってＵＥは、ＣＣ＃１のダウンリンクグラントから得られる第２のチャネルで、バンドル化したＡＣＫ／ＮＡＫを送信する。ＵＥは、誤ったＡＣＫ／ＮＡＫチャネルを使用する。したがって、ＤＴＸ対ＡＣＫエラーは発生しない。
【０１０２】
図１２は、図８に関する方法の別の実施構成の例図である。図１２の例では、ＣＣ＃１及びＣＣ＃２のダウンリンクグラントが紛失しておりＤＴＸ対ＡＣＫエラーが存在すると仮定する。しかしながら、１つのダウンリンクグラントが失敗する確率が１Ｅ−２未満であると仮定すると、エラー確率は１Ｅ−４未満である。さらに、この方法の選択肢２−２を使用した場合、エラーケースは発生しない。図１２に示す符号語＃１及び符号語＃２は、Ｍ個のコンポーネントキャリア１２０１、１２０２、．．．、１２０４、及び１２１１、１２１２、．．．、１２１４を含む。まず、ＵＥの受信帯域幅のコンポーネントキャリア全体にわたる周波数領域ＡＣＫ／ＮＡＫのバンドル化を実行し（破線の円１２２０及び１２２２で示す）、ＵＥの受信帯域幅内にあり２つの空間符号語に対応する全てのコンポーネントキャリアで送信される全てのダウンリンクトランスポートブロックに対して、バンドル化したＡＣＫ／ＮＡＫビット１２１６及び１２１８を生成する。
【０１０３】
次に、ＵＥは、ＡＣＫ／ＮＡＫリソースで（単複の）情報ビットを送信し、（１）情報ビットの値は、（単複の）バンドル化したＡＣＫ／ＮＡＫ結果に等しく、ここではＮｕｍｂｅｒ＿ｏｆ＿ＲＸ＿ＤＬ＿Ｇｒａｎｔ＝１であり、従ってＵＥは、ＣＣ＃４のダウンリンクグラントから得られる第２のチャネルで、バンドル化したＡＣＫ／ＮＡＫを送信する。ＵＥは、エラーを検出することはできない。したがって、約１Ｅ−４の確率でＤＴＸ対ＡＣＫエラーが存在する。
【０１０４】
上記実施形態３の実施構成（すなわち、実施形態１及び２の組み合わせ）は以下を含むことができる。
・２つの空間符号語にわたって空間領域バンドル化を実行すること。
・次に、ＵＥの受信帯域幅にわたって周波数領域バンドル化を実行し、２つの空間符号語につき、ＵＥの受信帯域幅内の１つのバンドル化したＡＣＫ／ＮＡＫビットを生成すること。
・ＵＥが、所定のＤＬグラントから得られるＡＣＫ／ＮＡＫチャネルの一方で（｛ｂ（０），ｂ（１）｝などの）２つの情報ビットを送信すること。
○選択肢３−１：
・（｛ｂ（０），ｂ（１）｝などの）２ビットを使用して、Ｎｕｍｂｅｒ＿ｏｆ＿ＲＸ＿ＤＬ＿Ｇｒａｎｔ  ＭＯＤ４を示す。
・所定のＤＬグラントを、１よりも多くのＣＣＥを含む最初又は最後に検出されたＤＬグラントとすることができる。
・ＵＥが、バンドル化したＡＣＫ／ＮＡＫの値に応じて、第１又は第２のＡＣＫ／ＮＡＫチャネルで｛ｂ（０），ｂ（１）｝を送信する。
○選択肢３−２：
・（ｂ（０）などの）１ビットは、バンドル化したＡＣＫ／ＮＡＫの値に等しい。
・所定のＤＬグラントを、１よりも多くのＣＣＥを含む最初又は最後に検出されたＤＬグラントとすることができる。
・（ｂ（１）などの）もう１つのビットの値と、第１及び第２のＡＣＫ／ＮＡＫチャネル間でのＡＣＫ／ＮＡＫチャネル選択との組み合わせを使用して、Ｎｕｍｂｅｒ＿ｏｆ＿ＲＸ＿ＤＬ＿ＧｒａｎｔＭＯＤ４を示す。
○選択肢３−３：
・所定のＤＬグラントを、１よりも多くのＣＣＥを含む最初又は最後に検出されたＤＬグラントとすることができる。
・２ビットの値及びチャネル選択の組み合わせは、（単複の）バンドル化したＡＣＫ／ＮＡＫ結果の値及び検出されたＤＬグラントの数に依存する。
【０１０５】
本発明の異なる実施形態の一般的利点は、既存のＰＤＣＣＨ設計（ＮｘＰＤＣＣＨ）の使用に基づくＬＴＥ−Ａｄｖａｎｃｅｄシステムなどにおいて、ＡＣＫ／ＮＡＫのバンドル化をサポートするためのいくつかの方法を提供する点である。ＡＣＫ／ＮＡＫのバンドル化は、ＬＴＥ−Ａｄｖａｎｃｅｄシステムにおいてアップリンク範囲を最適化するために必要である。ＵＬ／ＤＬグラントにおいてＤＡＩビットを使用することなくバンドル化をサポートすることができる。このことは、チャネルアグリゲーションを有するＬＴＥ−Ａｄｖａｎｃｅｄで既存のＤＣＩフォーマットを使用できることを意味する（追加のＤＣＩフォーマットは必要ない）。さらに、（ＤＡＩビットを必要とせずにＡＣＫ／ＮＡＫ多重化をサポートできるので）ＤＡＩビットによってダウンリンク制御オーバヘッドを生じることなく完全なアップリンク制御の解決策を実現することができる。
【０１０６】
図１３は、ある実施形態による方法の例を示している。この方法は、１３００から開始する。１３０１において、ＵＥなどの装置が、ユーザ装置の受信帯域幅のコンポーネントキャリアにわたって周波数領域ＡＣＫ／ＮＡＫのバンドル化を実行する。１３０２において、実行したＡＣＫ／ＮＡＫのバンドル化に基づいて、少なくとも１つの符号語に対応するバンドル化したＡＣＫ／ＮＡＫ値を生成する。１３０３において、生成されたバンドル化したＡＣＫ／ＮＡＫ値及びユーザ装置の受信帯域幅内の検出されたダウンリンクグラントの数に関する情報を、アップリンク制御チャネルで送信されるＡＣＫ／ＮＡＫリソースに含める。この方法は１３０４で終了する。
【０１０７】
当業者には、技術が進歩するにつれ、本発明の概念を様々な方法で実現できることが明らかであろう。本発明及びその実施形態は、上述の例に限定されるものではなく、特許請求の範囲内で変化することができる。
【符号の説明】
【０１０８】
１０２  ＵＥ
１０４  ｅＮＢ
１０６  ＭＭＥ
１０８  ＳＡＥ  ＧＷ
１１０  インターネット
【図１】
2014140176.tif 000003
【図２】
2014140176.tif 000004
【図３】
2014140176.tif 000005
【図４】
2014140176.tif 000006
【図５】
2014140176.tif 000007
【図６】
2014140176.tif 000008
【図７】
2014140176.tif 000009
【図８】
2014140176.tif 000010
【図９】
2014140176.tif 000011
【図１０】
2014140176.tif 000012
【図１１】
2014140176.tif 000013
【図１２】
2014140176.tif 000014
【図１３】
2014140176.tif 000015
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
ユーザ装置の受信帯域幅内のコンポーネントキャリアにわたって周波数領域肯定応答／否定応答（ＡＣＫ／ＮＡＫ）バンドル化を実行するように構成されたプロセッサと、
前記実行したＡＣＫ／ＮＡＫのバンドル化に基づいて、少なくとも１つの符号語に対応するバンドル化したＡＣＫ／ＮＡＫ値を生成するように構成された生成装置と、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含めるように構成されたプロセッサと、
を備えることを特徴とする装置。
【請求項２】
少なくとも２つの空間符号語に対応する２つのＡＣＫ／ＮＡＫビットにわたって空間領域バンドル化を実行するように構成されたプロセッサをさらに備える、
ことを特徴とする請求項１に記載の装置。
【請求項３】
アップリンク／ダウンリンクグラントにおいてＤＡＩビットを使用しない、
ことを特徴とする請求項１に記載の装置。
【請求項４】
前記プロセッサが、Ｎ2状態を表すＮビットを使用することにより、物理アップリンク共有チャネルでＡＣＫ／ＮＡＫのバンドル化を実行するように構成される、
ことを特徴とする請求項１に記載の装置。
【請求項５】
前記ユーザ装置の受信帯域幅内の少なくとも１つのダウンリンクグラントが、１よりも多くの制御チャネル要素及び１よりも多くのＡＣＫ／ＮＡＫチャネルを含む、
ことを特徴とする請求項１に記載の装置。
【請求項６】
請求項１に記載の機能を実行するように構成された、
ことを特徴とするユーザ装置。
【請求項７】
アップリンク制御チャネルにおける肯定応答／否定応答（ＡＣＫ／ＮＡＫ）リソースに含まれる生成されたバンドル化したＡＣＫ／ＮＡＫ値及び前記ユーザ装置の受信帯域幅内の検出されたダウンリンクグラントの数に関する情報を受信するように構成されたインターフェイスと、
前記受信した情報に基づいてＡＣＫ／ＮＡＫ／ＤＴＸ（断続的送信）検出を実行し、該ＡＣＫ／ＮＡＫ／ＤＴＸ検出に基づいて、前記検出したＡＣＫ／ＮＡＫ状態が正しいＡＣＫ／ＮＡＫを表すかどうかを判定するように構成されたプロセッサと、
を備えることを特徴とする装置。
【請求項８】
前記プロセッサが、前記検出したＡＣＫ／ＮＡＫ／ＤＴＸに基づいてスケジューリング決定を行うようにさらに構成される、
ことを特徴とする請求項７に記載の装置。
【請求項９】
前記プロセッサが、前記ＡＣＫ／ＮＡＫ／ＤＴＸ検出の結果に基づいて１又はそれ以上のコンポーネントキャリアにリソースを割り当てるようにさらに構成される、
ことを特徴とする請求項７に記載の装置。
【請求項１０】
ユーザ装置の受信帯域幅内のコンポーネントキャリアにわたって周波数領域肯定応答／否定応答（ＡＣＫ／ＮＡＫ）バンドル化を実行するステップと、
前記実行したＡＣＫ／ＮＡＫのバンドル化に基づいて、少なくとも１つの符号語に対応するバンドル化したＡＣＫ／ＮＡＫ値を生成するステップと、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含めるステップと、を含むことを特徴とする方法。
【請求項１１】
少なくとも２つの空間符号語に対応する２つのＡＣＫ／ＮＡＫビットにわたって空間領域バンドル化を実行するステップをさらに含む、
ことを特徴とする請求項１０に記載の方法。
【請求項１２】
アップリンク制御チャネルにおける肯定応答／否定応答（ＡＣＫ／ＮＡＫ）リソースに含まれる生成されたバンドル化したＡＣＫ／ＮＡＫ値及び前記ユーザ装置の受信帯域幅内の検出されたダウンリンクグラントの数に関する情報を受信するステップと、
前記受信した情報に基づいて、ＡＣＫ／ＮＡＫ／ＤＴＸ（断続的送信）検出を実行するステップと、
前記ＡＣＫ／ＮＡＫ／ＤＴＸ検出に基づいて、前記検出したＡＣＫ／ＮＡＫ状態が正しいＡＣＫ／ＮＡＫを表すかどうかを判定するステップと、
を含むことを特徴とする方法。
【請求項１３】
前記ＡＣＫ／ＮＡＫ／ＤＴＸ検出の結果に基づいて、１又はそれ以上のコンポーネントキャリアにリソースを割り当てるステップをさらに含む、
ことを特徴とする請求項１２に記載の方法。
【請求項１４】
メモリに動作可能に結合されたコンピュータにより実行可能なプログラム命令を記録したコンピュータ可読記録媒体であって、前記プログラム命令が、前記コンピュータにより実行された場合、
ユーザ装置の受信帯域幅内のコンポーネントキャリアにわたって周波数領域肯定応答／否定応答（ＡＣＫ／ＮＡＫ）バンドル化を実行する機能と、
前記実行したＡＣＫ／ＮＡＫのバンドル化に基づいて、少なくとも１つの符号語に対応するバンドル化したＡＣＫ／ＮＡＫ値を生成する機能と、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含める機能と、
を実行する、
ことを特徴とするコンピュータ可読記録媒体。
【請求項１５】
ユーザ装置の受信帯域幅内のコンポーネントキャリアにわたって周波数領域肯定応答／否定応答（ＡＣＫ／ＮＡＫ）バンドル化を実行するための処理手段と、
前記実行したＡＣＫ／ＮＡＫのバンドル化に基づいて、少なくとも１つの符号語に対応するバンドル化したＡＣＫ／ＮＡＫ値を生成するための生成手段と、
前記生成されたバンドル化したＡＣＫ／ＮＡＫ値及び前記ユーザ装置の受信帯域幅内の検出されたダウンリンクグラントの数に関する情報を、アップリンク制御チャネルで送信されるＡＣＫ／ＮＡＫリソースに含めるための処理手段と、
を備えることを特徴とする装置。
【請求項１６】
アップリンク制御チャネルにおける肯定応答／否定応答（ＡＣＫ／ＮＡＫ）リソースに含まれる生成されたバンドル化したＡＣＫ／ＮＡＫ値及び前記ユーザ装置の受信帯域幅内の検出されたダウンリンクグラントの数に関する情報を受信するための受信手段と、
前記受信した情報に基づいて、ＡＣＫ／ＮＡＫ／ＤＴＸ（断続的送信）検出を実行するための処理手段と、
前記ＡＣＫ／ＮＡＫ／ＤＴＸ検出に基づいて、前記検出したＡＣＫ／ＮＡＫ状態が正しいＡＣＫ／ＮＡＫを表すかどうかを判定するための処理手段と、
を備えることを特徴とする装置。